(57)【特許請求の範囲】
【請求項１】
パチンコ機に搭載される回路基板と、
前記回路基板からその表側へ突設されたコードと、
前記回路基板の表側を覆うとともに前記コードを不可逆的にさし通す第１コード孔を設けたカバーとを備え、
前記カバーで前記回路基板の表側を覆う際に、前記回路基板のコードを最短に張った状態で前記カバーの第１コード孔にさし通すことによって、前記回路基板への不正行為を防止することを特徴とするパチンコ機の回路基板の不正防止構造。
【請求項２】
請求項１に記載するパチンコ機の回路基板の不正防止構造において、
前記回路基板に設けた第２コード孔に前記コードの一端が係止することによって、前記コードを前記回路基板の表側へ突設させることを特徴とするパチンコ機の回路基板の不正防止構造。
【請求項３】
請求項１又は請求項２に記載するパチンコ機の回路基板の不正防止構造において、
前記回路基板がメイン基板であることを特徴とするパチンコ機の回路基板の不正防止構造。
【発明の詳細な説明】
【０００１】
【発明の属する技術分野】
本発明は、パチンコ機に搭載される回路基板への不正行為を防止するパチンコ機の回路基板の不正防止構造に関する。
【０００２】
【従来の技術】
近年のパチンコ機おいては、パチンコ機のゲーム内容が書き込まれたＲＯＭを実装したメイン基板が搭載されている。そして、パチンコ機のゲーム内容が不正に変更されることを防止するために、メイン基板に対して種々の不正防止構造が施されている。
【０００３】
例えば、図３に示すメイン基板では、シャーシ１００に載せたメイン基板１０１の表側をカバー１０２で覆い、その四隅をねじ１０３で固定して、シャーシ１００とカバー１０２との間にメイン基板１０１を閉じこめ、さらに、シャーシ１００とカバー１０２とを挟むようにして証紙１０４を貼り付けて封印している。かかる証紙１０４は、一度はがして再び貼り付けると、その形跡が証紙１０４に現れて肉眼ではっきりと確認できるので、シャーシ１００からカバー１０２を内密に取り外すことができず、メイン基板１０１に実装されたＲＯＭ１０５の内容が不正に書き換えられることを防止できる。
【０００４】
【発明が解決しようとする課題】
しかしながら、図３のメイン基板に施された不正防止構造では、特殊な薬品を用いて証紙１０４をはがし再び貼り付ければ、その形跡が証紙１０４に現れることがないので、シャーシ１００からカバー１０２を内密に取り外すことが可能となり、メイン基板１０１に実装されたＲＯＭ１０５の内容を不正に書き換えられるおそれがあった。
【０００５】
そこで、本発明は、上述した問題点を解決するためになされたものであり、回路基板に対する不正行為を行った後には元の状態に戻すことはできないパチンコ機の回路基板の不正防止構造を提供することを目的とする。
【０００６】
【課題を解決するための手段】
この目的を達成するために成された請求項１に係るパチンコ機の回路基板の不正防止構造は、パチンコ機に搭載される回路基板と、前記回路基板からその表側へ突設されたコードと、前記回路基板の表側を覆うとともに前記コードを不可逆的にさし通す第１コード孔を設けたカバーとを備え、前記カバーで前記回路基板の表側を覆う際に、前記回路基板のコードを最短に張った状態で前記カバーの第１コード孔にさし通すことによって、前記回路基板への不正行為を防止することを特徴とする。
【０００７】
また、請求項２に係るパチンコ機の回路基板の不正防止構造は、請求項１に記載するパチンコ機の回路基板の不正防止構造であって、前記回路基板に設けた第２コード孔に前記コードの一端が係止することによって、前記コードを前記回路基板の表側へ突設させることを特徴とする。
また、請求項３に係るパチンコ機の回路基板の不正防止構造は、請求項１又は請求項２に記載するパチンコ機の回路基板の不正防止構造であって、前記回路基板がメイン基板であることを特徴とする。
【０００８】
このような構成を有する本発明のパチンコ機の回路基板の不正防止構造では、回路基板の表側はカバーで覆われており、かかる回路基板からその表側へ突設されたコードが、カバーに設けられた第１コード孔にさし通されている。このとき、第１コード孔にさし通されたコードは、さし通された方向とは逆の方向に移動することはできない。
【０００９】
さらに、第１コード孔にさし通されたコードは、最短に張った状態にあるので、回路基板の表側を覆うカバーを取り外そうとしても、回路基板とカバーとの間が開くことはない。また、カバーを回転させようとしても回路基板に当接するので、回路基板の表側の一部を露出させることもできない。従って、回路基板とカバーとの間を無理やりに拡げようとすると、コードや第１コード孔にその痕跡が残ることになる。また、回路基板に設けた第２コード孔にコードの一端が係止することによって、コードを回路基板の表側へ突設させた場合には、第２コード孔やコードの一端にもその痕跡が残る。
【００１０】
すなわち、本発明のパチンコ機の回路基板の不正防止構造では、回路基板の表側を覆うカバーを取り外すせば、その痕跡がコードや第１コード孔に明確に残って復元させることは不可能となるので、回路基板に対する不正行為を行った後には元の状態に戻すことはできない。
【００１１】
また、回路基板に設けた第２コード孔にコードの一端が係止することによって、コードを回路基板の表側へ突設させた場合には、回路基板の表側を覆うカバーを取り外すせば、その痕跡がコードの一端や第２コード孔にも明確に残って復元させることは不可能となるので、回路基板に対する不正行為を行った後には元の状態に戻すことはできない。
【００１２】
特に、回路基板がメイン基板である場合には、パチンコ機のゲーム内容を書き込まれたＲＯＭがメイン基板の表側に実装されているので、パチンコ機のゲーム内容が不正に変更されることはない。
【００１３】
尚、第１コード孔にさし通されたコードを最短に張った状態にするのは、回路基板の表側を覆うカバーを取り外そうとしても、回路基板とカバーとの間が開かないことより、回路基板に対する不正行為ができないようにするためであるから、第１コード孔にさし通されたコードが最短に張った状態になく、回路基板に対しカバーをずらすことによって、その間に隙間を生じさせることが可能であっても、回路基板に対する不正行為ができない程度の隙間であれば、第１コード孔にさし通されたコードを厳密に最短に張る必要はない。従って、かかる場合も、第１コード孔にさし通されたコードが最短に張った状態にあると言える。
【００１４】
【発明の実施の形態】
以下、本発明の実施の形態を図面を参照にして説明する。本実施の形態のパチンコ機の回路基板の不正防止構造の断面を図１に示す。図１に示すように、本実施の形態のパチンコ機の回路基板の不正防止構造では、パチンコ機に搭載される回路基板１に第２コード孔５が設けられており、回路基板１の裏側から表側に向かってコード２が挿入されている。このとき、コード２の一端６は回路基板１の第２コード孔５に係止するので、コード２を回路基板１の表側に突設させることができる。
【００１５】
また、コード２を突設させた回路基板１はシャーシ７に載せられており、回路基板１の表側から図示しないねじで固定されている。さらに、回路基板１の表側はカバー３で覆われ、図示しないねじで固定されている。かかるカバー３には第１コード孔４が設けられており、回路基板１の表側から突設されたコード２がさし通されている。
【００１６】
このとき、カバー３の第１コード孔４は回路基板１の第２コード孔５の真上に位置するので、カバー３の第１コード孔４から突出したコード２を引っ張ることより、コード２を最短に張った状態にすることができる。また、コード２に連設された突起物とカバー３の第１コード孔４がかかわり合うことにより、カバーの内側から外側へさし通すことはできるが、さし通された方向とは逆の方向に移動することはできない。
【００１７】
よって、回路基板１の表側を覆うカバー３を取り外すためには、カバー３の外側に突出したコード２を切断して、コード２の突起物とカバー３の第１コード孔４とのかかわり合いを解除するしかない。従って、その後において、カバー３を元の状態に戻しても、図２に示すように、切断されたコード２をカバー３の第１コード孔４の外側８に突出させることができず、元の状態に戻すことはできない（図１参照）。
【００１８】
すなわち、コード２の先端にその痕跡が残ることになる。さらに、カバー３の第１コード孔４の外側８にその形跡が残ることになる。また、カバー３の外側に突出したコード２を切断せずに、回路基板１の表側を覆うカバー３を取り外したときは、コード２の突起物とカバー３の第１コード孔４がかかわり合うことによって、コード２と第１コード孔４にその痕跡が残ることになる。その際に、カバー３の外側に突出したコード２に引張力が作用すれば、回路基板１の第２コード孔５にコード２の一端６が押し付けられて、第２コード孔５やコード２の一端６にその痕跡が残ることになる。
【００１９】
以上詳細に説明したように、本実施の形態のパチンコ機の回路基板の不正防止構造では、回路基板１の表側はカバー３で覆われており、かかる回路基板１からその表側へ突設されたコード２が、カバー３に設けられた第１コード孔４にさし通されている。このとき、第１コード孔４にさし通されたコード２は、さし通された方向とは逆の方向に移動することはできない。
【００２０】
さらに、第１コード孔４にさし通されたコード２は、最短に張った状態にあるので、回路基板１の表側を覆うカバー３を取り外そうとしても、回路基板１とカバー３との間が開くことはない。また、カバー３を回転させようとしても回路基板１に当接するので、回路基板１の表側の一部を露出させることもできない。従って、回路基板１とカバー３との間を無理やりに拡げようとすると、コード２や第１コード孔４にその痕跡が残ることになる。また、回路基板１に設けた第２コード孔５にコード２の一端６が係止することによって、コード２を回路基板１の表側へ突設させているので、第２コード孔５やコード２の一端６にもその痕跡が残る。
【００２１】
すなわち、本実施の形態のパチンコ機の回路基板の不正防止構造では、回路基板１の表側を覆うカバー３を取り外すせば、その痕跡がコード２や第１コード孔４に明確に残って復元させることは不可能となるので、回路基板１に対する不正行為を行った後には元の状態に戻すことはできない。
【００２２】
また、回路基板１に設けた第２コード孔５にコード２の一端６が係止することによって、コード２を回路基板１の表側へ突設させており、回路基板１の表側を覆うカバー３を取り外すせば、その痕跡がコード２の一端６や第２コード孔５にも明確に残って復元させることは不可能となるので、回路基板１に対する不正行為を行った後には元の状態に戻すことはできない。
【００２３】
特に、回路基板１がメイン基板である場合には、パチンコ機のゲーム内容を書き込まれたＲＯＭがメイン基板の表側に実装されているので、パチンコ機のゲーム内容が不正に変更されることはない。
【００２４】
尚、本発明は上記実施の形態に限定されるものでなく、その趣旨を逸脱しない範囲で様々な変更が可能である。
例えば、本実施の形態のパチンコ機の回路基板の不正防止構造において、回路基板１の第２コード孔５に挿入させるコード２として、逆戻りしない市販の結束コードを使用してもよい。このとき、かかる結束コードに設けられたものと同じコード孔を、カバー３の第１コード孔４として使用する。
【００２５】
また、本実施の形態のパチンコ機の回路基板の不正防止構造では、回路基板１の裏側から表側に向かって、回路基板１の第２コード孔５にコード２を挿入させ、コード２の一端６が回路基板１の第２コード孔５に係止することによって、コード２を回路基板１の表側に突設させているが、回路基板１の表側に直接にコード２を固定させてもよい。
【００２６】
また、シャーシ７にもコード孔を設け、シャーシ７のコード孔、回路基板１の第２コード孔５の順にコード２を挿入させて、コード２の一端６がシャーシ７のコード孔に係止することによって、コード２を回路基板１の表側に突設させてもよい。
【００２７】
【発明の効果】
本発明のパチンコ機の回路基板の不正防止構造では、回路基板の表側を覆うカバーを取り外すせば、その痕跡がコードや第１コード孔に明確に残って復元させることは不可能となるので、回路基板に対する不正行為を行った後には元の状態に戻すことはできない。
【００２８】
また、回路基板に設けた第２コード孔にコードの一端が係止することによって、コードを回路基板の表側へ突設させた場合には、回路基板の表側を覆うカバーを取り外すせば、その痕跡がコードの一端や第２コード孔にも明確に残って復元させることは不可能となるので、回路基板に対する不正行為を行った後には元の状態に戻すことはできない。
【００２９】
特に、回路基板がメイン基板である場合には、パチンコ機のゲーム内容を書き込まれたＲＯＭがメイン基板の表側に実装されているので、パチンコ機のゲーム内容が不正に変更されることはない。
【図面の簡単な説明】
【図１】本実施の形態のパチンコ機の回路基板の不正防止構造を示した断面図である。
【図２】本実施の形態のパチンコ機の回路基板の不正防止構造を示した断面図であって、回路基板への不正行為を行った後の状態を示した図である。
【図３】従来技術のパチンコ機の回路基板の不正防止構造を示した組立図である。
【符号の説明】
１  メイン基板
２  コード
３  カバー
４  第１コード孔
５  第２コード孔
６  コードの一端
【図１】
0004038780.tif 000002
【図２】
0004038780.tif 000003
【図３】
0004038780.tif 000004